(57)【要約】【課題】混雑階床のホール呼びに対して優先サービスを実施し、待ち客に対して長待ち等の不満感を与えないようにする。【解決手段】既に登録済みのホール呼びについての待ち時間、待ち客人数、エレベータ応答までの予測時間等をもとに各エレベータの不快度指数合計値Ｚ（Ｋ）を算出する。そして、割当制御部１４は、新たにホール呼びが発生した場合に、各エレベータの状態情報に基づいて各エレベータの状態評価値Ｖ（Ｋ）を算出し、この状態評価値Ｖ（Ｋ）に不快度指数合計値Ｚ（Ｋ）を加えたものを各エレベータの号機評価値Ｅ（Ｋ）として算出し、この号機評価値Ｅ（Ｋ）が最も良好なエレベータに新たに発生したホール呼びに対する割付を決定する。【選択図】      図１
2005089098.tif 000002
【特許請求の範囲】
【請求項１】
複数階の階床に対して複数台のエレベータを就役させ、各エレベータの状態情報を用いて、発生したホール呼びに対するエレベータを割付けるエレベータの群管理制御装置において、
各階床のホール待ち人数を検出する人数検出部と、
各階床のホール呼びが登録されてからの経過時間を測定する待ち時間測定部と、
各階床のホール呼びにエレベータが応答するまでの予測到達時間を推定する予測到着時間推定部と、
経過時間と予測到着時間とホール待ち人数をもとに各階床の不快度指数を測定する不快度測定部と、
各ホール呼びに対する割付済みのエレベータ号機を登録する割付登録部と、
この割付登録部の登録データをもとに各エレベータに割付けられた全てのホール呼びに対する不快度指数を合計し、各エレベータの不快度指数合計値を算出する号機不快度測定部と、
新たにホール呼びが発生した場合に、各エレベータの状態情報に基づいて各エレベータの状態評価値を算出し、この状態評価値に前記不快度指数合計値を加えたものを各エレベータの号機評価値として算出し、この号機評価値が最も良好なエレベータに前記新たに発生したホール呼びに対する割付を決定する割当制御部と
を備えたことを特徴とするエレベータの群管理制御装置。
【請求項２】
前記割当制御部は、周期的に各階床の不快度指数を監視し、不快度指数が設定変更可能な基準値を超えているかの判定を行い、基準値を超えている階床のホール呼びに対して、他のエレベータへの割付変更を行うことを特徴とする請求項１記載のエレベータの群管理制御装置。
【請求項３】
複数階の階床に対して複数台のエレベータを就役させ、各エレベータの状態情報を用いて、発生したホール呼びに対するエレベータを割付けるエレベータの群管理制御装置において、
各階床のホール待ち人数を検出する人数検出部と、
各階床のホール呼びが登録されてからの経過時間を測定する待ち時間測定部と、
各階床のホール呼びにエレベータが応答するまでの予測到達時間を推定する予測到着時間推定部と、
経過時間と予測到着時間とホール待ち人数をもとに各階床の不快度指数を測定する不快度測定部と、
測定した各階床の不快度指数を階床、時間帯ごとの不快度指数統計データ値として保管する統計データ保管部と、
各ホール呼びに対する割付済みのエレベータを登録する割付登録部と、
この割付登録部の登録データをもとに各エレベータに割付けられた全てのホール呼びに対する不快度指数を合計し、各エレベータの不快度指数合計値を算出する号機不快度測定部と、
新たに発生したホール呼びの階床の不快度指数統計データ値が基準値より小さい場合に、各エレベータの状態情報に基づいて各エレベータの状態評価値を算出し、この状態評価値に前記不快度指数合計値を加えたものを各エレベータの号機評価値として算出し、この号機評価値が最も良好なエレベータに前記新たに発生したホール呼びに対する割付を決定し、新たに発生したホール呼びの階床の不快度指数統計データ値が基準値より大きい場合に、前記予測到着時間推定部で推定された予測到着時間の最も短いエレベータに前記新たに発生したホール呼びに対する割付を決定する割当制御部と
を備えたことを特徴とするエレベータの群管理制御装置。
【発明の詳細な説明】
【技術分野】
【０００１】
本発明は複数階の階床に対して就役させた複数台のエレベータを制御するエレベータの群管理制御装置に関する。
【背景技術】
【０００２】
一般に、複数台のエレベータが設置された高層ビルにおいては、複数台のエレベータに対して群管理制御運転が行なわれている。このエレベータの群管理制御運転においては、各階床において、エレベータを該当階床へ呼ぶホール呼びが登録されると、複数台のエレベータの中からその時点で最適なエレベータが選択されて、該当ホール呼びに割付けられる。
【０００３】
エレベータの群管理制御装置は、出社・退社時間帯、昼食時間帯等の交通需要の増加時、更に夜間、休日等の交通減少時等、ビル固有の交通需要の変化に合わせて、エレベータの運転モードを予め設定した運転モードに切換えながら効率的なエレベータ運転を制御している。
【０００４】
また、各階床のホール（エレベータホール）に設置された人数検出器等によりホールでの待ち客が多い階床で発生したホール呼びに対して、待ち人数に対応した重み付けを行ってホール呼びを評価して、このホール呼びに対するエレベータの割当号機を決定することにより、当該階のホール呼びを優先してサービスさせたり、一定台数のエレベータを当該階に向かわせることで、待ち客が多い階床に対してサービスを強化していた。この方法は、出勤時や昼食時等のように特定の階床がある程度長い時間（例えば数１０分）、ホールでの混雑が連続するケースには有効な手段である。
【発明の開示】
【発明が解決しようとする課題】
【０００５】
しかしながら、平常時間帯に会議が終了して一時的にホールが混雑する場合等は、ホール呼び登録時はまだホールは混雑しておらず、ホール呼び登録後に人がホールに集まってくることになる。したがって、ホール呼び登録時は、当該階が混雑していないと判断されてしまうため、前述の優先サービスが実施されなくなってしまい、待ち客の多い階床に対してサービスを強化できなくなってしまう。
【０００６】
本発明はこのような事情に鑑みてなされたものであり、たとえ、一時的に任意の階床のホールが混雑する場合でも、ホール呼び登録以後に混雑して来た場合には、当該階床に応答するエレベータの到達時間を短くでき、また、到達時間が長くなることが予想される場合には他号機への割当変更を実施でき、混雑階床のホール呼びに対して優先サービスを実施し、待ち客に対して長待ち等の不満感を与えないエレベータの群管理制御装置を提供することを目的とする。
【課題を解決するための手段】
【０００７】
上記課題を解決するために、本発明は、複数階の階床に対して複数台のエレベータを就役させ、各エレベータの状態情報を用いて、発生したホール呼びに対するエレベータを割付けるエレベータの群管理制御装置において、各階床のホール待ち人数を検出する人数検出部と、各階床のホール呼びが登録されてからの経過時間を測定する待ち時間測定部と、各階床のホール呼びにエレベータが応答するまでの予測到達時間を推定する予測到着時間推定部と、経過時間と予測到着時間とホール待ち人数をもとに各階床の不快度指数を測定する不快度測定部と、各ホール呼びに対する割付済みのエレベータ号機を登録する割付登録部と、この割付登録部の登録データをもとに各エレベータに割付けられた全てのホール呼びに対する不快度指数を合計し、各エレベータの不快度指数合計値を算出する号機不快度測定部と、新たにホール呼びが発生した場合に、各エレベータの状態情報に基づいて各エレベータの状態評価値を算出し、この状態評価値に不快度指数合計値を加えたものを各エレベータの号機評価値として算出し、この号機評価値が最も良好なエレベータに新たに発生したホール呼びに対する割付を決定する割当制御部とを備えている。
【０００８】
このように構成されたエレベータの群管理制御装置においては、ホール呼びが新たに発生した場合に、割付登録部に登録されている既に登録済みのホール呼びについての待ち時間、待ち客人数、エレベータ応答までの予測時間等をもとに各エレベータの各階床の不快度指数を算出し、さらに各エレベータの各階床の不快度指数を合計した不快度指数合計値を算出する。
【０００９】
そして、ホール呼びが新たに発生した場合に、各エレベータの状態評価値に、前記不快度指数合計値を加算して各エレベータの号機評価値とし、この号機評価値に基づいてエレベータを割付ける。したがって、結果的に、不快度指数合計値を均等化するような割付を行うので、混雑階床のホール呼びに対して優先的に長待ちとさせないような制御が可能となる。
【００１０】
また別の発明は、上記発明のエレベータの群管理制御装置において、割当制御部は、さらに、周期的に各階床の不快度指数を監視し、不快度指数が設定変更可能な基準値を超えているかの判定を行い、基準値を超えている階床のホール呼びに対して、他のエレベータへの割付変更を行う。
【００１１】
このように構成されたエレベータの群管理制御装置においては、既に登録済みのホール呼びについての待ち時間、待ち客人数、エレベータ応答までの予測時間等をもとに各階床の不快度指数を算出し、不快度指数が基準値を超えるホール呼びに対しては、他のエレベータへ割当変更を行うことで、混雑階床のホール呼びに対して優先的に長待ちとさせないような制御が可能となる。
【００１２】
また別の発明は、複数階の階床に対して複数台のエレベータを就役させ、各エレベータの状態情報を用いて、発生したホール呼びに対するエレベータを割付けるエレベータの群管理制御装置において、各階床のホール待ち人数を検出する人数検出部と、各階床のホール呼びが登録されてからの経過時間を測定する待ち時間測定部と、各階床のホール呼びにエレベータが応答するまでの予測到達時間を推定する予測到着時間推定部と、経過時間と予測到着時間とホール待ち人数をもとに各階床の不快度指数を測定する不快度測定部と、測定した各階床の不快度指数を階床、時間帯ごとの不快度指数統計データ値として保管する統計データ保管部と、各ホール呼びに対する割付済みのエレベータを登録する割付登録部と、この割付登録部の登録データをもとに各エレベータに割付けられた全てのホール呼びに対する不快度指数を合計し、各エレベータの不快度指数合計値を算出する号機不快度測定部と、新たに発生したホール呼びの階床の不快度指数統計データ値が基準値より小さい場合に、各エレベータの状態情報に基づいて各エレベータの状態評価値を算出し、この状態評価値に前記不快度指数合計値を加えたものを各エレベータの号機評価値として算出し、この号機評価値が最も良好なエレベータに前記新たに発生したホール呼びに対する割付を決定し、新たに発生したホール呼びの階床の不快度指数統計データ値が基準値より大きい場合に、予測到着時間推定部で推定された予測到着時間の最も短いエレベータに新たに発生したホール呼びに対する割付を決定する割当制御部とを備えている。
【００１３】
このように構成されたエレベータの群管理制御装置においては、測定した各階床の不快度指数を階床、時間帯ごとの不快度指数統計データ値として保管する統計データ保管部を設けている。
【００１４】
そして、新たにホール呼びが発生すると、ホール呼びの階床の不快度指数統計データ値が基準値より大きいか小さいかを調べる。不快度指数統計データ値が基準値より小さい場合は、上述した発明と同様の手順で新たなホール呼びに対するエレベータの割付を行う。また、不快度指数統計データ値が基準値より大きい場合は、予測到着時間の最も短いエレベータに新たに発生したホール呼びに対する割付を決定する。  
したがって、不快度指数が高くなることが予想されるホール呼びに対して優先的に長待ちとさせない制御が可能となる。
【発明の効果】
【００１５】
本発明のエレベータの群管理制御装置においては、既に登録済みのホール呼びについての待ち時間、待ち客人数、エレベータ応答までの予測時間等をもとに各エレベータの不快度指数を算出し、この不快度指数を参考にして、新規に発生したホール呼びに対する割付エレベータを決定している。
【００１６】
したがって、たとえ、一時的にホールが混雑する場合でも、ホール呼び登録以後に混雑して来た場合には、当該階に応答するエレベータの到達時間を短くするために、応答号機への他階のホール呼び割付を制限したり、到達時間が長くなることが予想される場合には他号機への割当変更を実施することができ、混雑階床のホール呼びに対して優先サービスを実施し、待ち客に対して長待ち等の不満感を与えることが未然に防止される。
【発明を実施するための最良の形態】
【００１７】
以下、本発明の各実施形態を図面を用いて説明する。
【００１８】
（第１実施形態）
図１は本発明の第１実施形態に係わるエレベータの群管理制御装置が組込まれたエレベータシステムを示す模式図である。
【００１９】
この第１実施形態のエレベータシステムにおいては、例えば、２０階建てのビルに３台のエレベータが据付けられている。このエレベータシステムには、３台のエレベータの群管理制御を行うエレベータの群管理制御装置１と、各々のエレベータを個別に制御する３台のかご制御装置２Ａ、２Ｂ、２Ｃと、各階床に設けられ利用者がエレベータを呼ぶための複数のホール呼び登録装置３と、各階床の乗場（エレベータホール）での待ち客人数を測定するための複数の人数検出用カメラ５とが設けられている。そして、各々のエレベータは乗客を乗せるかご４が設けられている。
【００２０】
例えば、コンピュータで構成されたエレベータの群管理制御装置１内には、ホール呼び登録部６、待ち時間測定部７、予測到着時間測定部８、人数検出部９、不快度測定部１０、割付登録部１２、号機不快度測定部１３、割当制御部１４が設けられている。
【００２１】
ホール呼び登録部６は各階の乗場でホール呼び登録装置３によって登録されたホール呼びを登録する。待ち時間測定部７はホール呼びごとにホール呼びが登録されてからの経過時間を測定する。予測到着時間測定部８はホール呼びごとに割当られたエレベータが到着するまでの予測到着時間を測定する。具体的には、該当エレベータの現在位置、該当エレベータに既に割当てられた他のホール呼びかご呼び等を用いて、割当られたエレベータが到着するまでの予測到着時間を算出する。人数検出部９は各人数検出カメラ５によって撮影された画像をもとに各階床ｆの待ち客人数Ｍfを算出する。
【００２２】
不快度測定部１０はホール呼びが登録されている階床ｆごとに待ち時間と予測到着時間と待ち客人数から不快度指数Ｙ（ｆ）を(1)式を用いて算出する。
【００２３】
Ｙ（ｆ）＝ｇ（ｔf）・Ｍf                              …(1)
（ｆ＝１，２，３，…，Ｎ）
但し、
ｇ（ｔf）は、図２に示す待ち時間ｔに対するイライラ度ｇの程度を示すイライラ度特性より決定されるイライラ度数である。
【００２４】
ｔf：ｆ階でホール呼びが登録されてからの経過時間（待ち時間）
＋エレベータが応答するまでの予測到着時間
Ｍf：ｆ階での待ち客人数
である。
【００２５】
割当登録部１２は各ホール呼びに対する割付済みのエレベータ号機を登録する。  
号機不快度測定部１３は、割付登録部１２の登録データをもとに各エレベータに割付けられた全てのホール呼びに対する不快度指数Ｙ（ｆ）を合計し、各エレベータ（号機番号Ｋ）の不快度指数合計値Ｚ（Ｋ）を(2)式を用いて算出する。
【数１】
2005089098.tif 000003
【００２６】
（Ｋ＝Ａ，Ｂ，Ｃ…）
但し、
Ｗ（ｆ，Ｋ）：Ｋ号機にｆ階の呼びの割付有無を示す重み
Ｋ号機に割付けられている場合：Ｗ（ｆ，Ｋ）＝１
Ｋ以外の号機に割付けられている場合：Ｗ（ｆ，Ｋ）＝０
ｆ階に呼びが登録されていない場合：Ｗ（ｆ，Ｋ）＝０
とする。
【００２７】
割当制御部１４は、新たにホール呼びが発生した場合に、各エレベータの状態情報に基づいて各エレベータの状態評価値Ｖ（ｋ）を算出し、この状態評価値Ｖ（Ｋ）に不快度指数合計値Ｚ（Ｋ）を加えたものを各エレベータの号機評価値Ｅ（Ｋ）として算出し、この号機評価値Ｅ（Ｋ）が最も良好な（最小の）エレベータに新たに発生したホール呼びに対する割付を決定する。
【００２８】
なお、各エレベータの号機評価値Ｅ（Ｋ）を(3)式で求める。  
Ｅ（Ｋ）＝α・Ｖ（Ｋ）＋β・Ｚ（Ｋ）              …(3)
（Ｋ＝Ａ，Ｂ，Ｃ…）
但し、
α，β：重み係数（正の実数）
Ｖ（Ｋ）：Ｋ号機の状態評価値
Ｚ（Ｋ）：Ｋ号機の不快度指数合計値
なお、エレベータの状態評価値Ｖ（Ｋ）とは、エレベータの状態情報（エレベータ位置、割当済みのホール呼び、登録済みのかご呼び）に基づいて算出される該当エレベータの負荷量の指標である。
【００２９】
具体的には、割当制御部１４は、図３の流れ図に従って、新たに発生したホール呼びに対するエレベータの割付を決定する。
【００３０】
例えば、７Ｆ乗場の乗場登録装置３にて、新たに下方向のホール呼びが登録されると（Ｓ１）、割当制御部１４では、まず、Ａ〜Ｃ号機について各エレベータの状態情報（エレベータ位置、割当済みのホール呼び、登録済みのかご呼び）をもとに、エレベータの号機ごとの状態評価値Ｖ（Ｋ）を算出する（Ｓ２）。
【００３１】
次に号機不快度測定部１３によって号機ごとの(2)式で示す不快度指数合計値Ｚ（Ｋ）を算出する（Ｓ３）。状態評価値Ｖ（Ｋ）と不快度指数合計値Ｚ（Ｋ）とから(3)式を用いて号機評価値Ｅ（Ｋ）を算出する（Ｓ４）。そして、号機評価値Ｅ（Ｋ）の最小なエレベータの号機に対し７Ｆの下方向のホール呼びを割付ける（Ｓ５）。
【００３２】
このように、ホール呼びが新たに発生した場合に、既に登録済みのホール呼びについての待ち時間、待ち客人数、エレベータ応答までの予測時間等をもとに各階床の不快度指数を算出し、各号機の保有する不快度指数合計値Ｚ（Ｋ）を均等とするような割付を行うことで、混雑階床のホール呼びに対して優先的に長待ちとさせないような制御が可能となる。
【００３３】
さらに、割当制御部１４は、図４の流れ図に従って、必要に応じて、割付登録済みのホール呼びに対するエレベータの割付を変更する。
【００３４】
最初に階床を意味するインデックスＮを初期化（Ｎ＝０）する（Ｓ１１）。次に、インデックスＮを１だけ更新（Ｎ＝Ｎ＋１）し（Ｓ１２）、１階（Ｎ＝１）のホール呼び登録の有無を確認する（Ｓ１３）。
【００３５】
ホール呼びが登録されている場合、１階（Ｎ＝１）のホール呼びが登録されてからの経過時間、１階（Ｎ＝１）の乗場（ホール）で待っている人数、１階に対してエレベータが応答するまでの予測到達時間をもとに１階の不快度指数Ｙ（Ｎ＝１）を算出する（Ｓ１４）。この不快度指数Ｙ（Ｎ）が管理者によって設定変更可能な基準値を超えているか否かの判定を行う（Ｓ１５）。基準値を超えていない場合は１階のホール呼びのエレベータの割付を登録されているエレベータのままとする。基準値を超えている場合には１階のホール呼びの割付を他のエレベータに割当変更する（Ｓ１６）。
【００３６】
そして、最上階となるＮ＝２０まで上記の処理を繰り返し実行し（Ｓ１２〜Ｓ１７）、全ての階床（Ｎ＝１〜Ｎ＝２０）について不快度指数Ｙ（Ｎ）が基準を超えているか否かの判定を行う。
【００３７】
このように割当制御部１４に対して登録済みの割付に対する制御を実施させることにより、既に登録済みのホール呼びについての待ち時間、待ち客人数、エレベータ応答までの予測時間等をもとに各階床の不快度指数Ｙ（Ｎ）を算出し、不快度指数Ｙ（Ｎ）が基準値を超えるホール呼びに対しては、他のエレベータへホール呼びに対する割当変更を行うことで、混雑階床のホール呼びに対して優先的に長待ちとさせないような制御が可能となる。
【００３８】
（第２実施形態）
図５は本発明の第２実施形態に係わるエレベータの群管理制御装置が組込まれたエレベータシステムを示す模式図である。図１に示す第１実施形態のエレベータシステムと同一部分には同一符号を付して重複する部分の詳細説明を省略する。
【００３９】
この第２実施形態のエレベータシステムにおけるエレベータの群管理制御装置１内には、統計データ保管部１１が設けられている。この統計データ保管部１１は、不快度測定部１０で測定した各階床の不快度指数Ｙ（ｆ）を階床、曜日、時間帯ごとの不快度指数統計データ値として、図６に示す統計データ保管テーブル１１ａに保管する。
【００４０】
統計データ保管テーブル１１ａの各欄に保存される不快度指数統計データ値Ｄ（ｆ，ｔ）は(4)式によって、階床ｆごと、時間帯ｔごとに集計される。
【数２】
2005089098.tif 000004
【００４１】
但し、
ｆ：階床
ｔ：時間帯
Ｓ：時間帯ｔの間にｆ階に発生したホール呼びの総個数
Ｙ（ｆ，ｉ）：ｆ階において時間帯ｔで発生したｉ番目のホール呼びの不快度指数
さらに、この第２実施形態のエレベータシステムにおけるエレベータの群管理制御装置１内の割当制御部１４は、不快度指数統計データ値Ｄが設定変更可能な基準値を超えている場合のｆ階床のホール呼びに対する各号機の号機評価値としての到着評価値Ｅａ（Ｋ）は、ｆ階への予測到着時間が最短となるようにするため、(5)式を使用する。
【００４２】
Ｅａ（Ｋ）＝Ｘ（ｆ）                        …(5)
（Ｋ＝Ａ，Ｂ，Ｃ…）
但し、
ｆ：ホール呼び発生階床
Ｘ（ｆ）：ｆ階までの予測到着時間
具体的には、この第２実施形態の割当制御部１４は、図７の流れ図に従って、新たに発生したホール呼びに対するエレベータの割付を決定する。
【００４３】
例えば、７Ｆ乗場（ホール）の乗場登録装置３にて、新たに下方向のホール呼びが登録されると（Ｓ２１）、統計データ保管部１１の統計データ保管テーブル１１ａを参照し、現在時刻に対応する曜日、現時間帯での７Ｆでの呼びの不快度指数統計データ値Ｄ（ｆ，ｔ）を読出す。この読出した不快度指数統計データ値Ｄ（ｆ，ｔ）が設定変更可能な基準値を超えているか否かを判定する（Ｓ２２）。
【００４４】
超えていなければ、まず、Ａ〜Ｃ号機について各エレベータの状態情報（エレベータ位置、割当済みのホール呼び、登録済みのかご呼び）をもとに、号機ごとの状態評価値Ｖ（Ｋ）を算出し（Ｓ２５）、次に号機不快度測定部１３によって号機ごとの不快度指数合計値をＺ（Ｋ）算出する（Ｓ２６）。状態評価値Ｖ（Ｋ）と不快度指数合計値Ｚ（Ｋ）とから(3)式を用いて、各エレベータの号機評価値Ｅ（Ｋ）を算出する（Ｓ２７）。そして、号機評価値Ｅ（Ｋ）の最小なエレベータの号機に対し７Ｆの下方向のホール呼びを割付ける（Ｓ２８）。
【００４５】
一方、読出した不快度指数統計データ値Ｄ（ｆ，ｔ）が基準値を超えている場合には、当該階床のホール呼びは不快度指数が高くなりやすいと判断し、予測到着時間推定部８にて各号機のホール呼びがあった７Ｆまでの予測到着時間Ｘ（ｆ）を算出し、(5)式で到着評価値Ｅａ（Ｋ）を求める（Ｓ２３）。そして、到着評価値Ｅａ（Ｋ）の最小なエレベータの号機に対し７Ｆの下方向のホール呼びを割付ける（Ｓ２４）。
【００４６】
このようにエレベータの各号機に対する割当制御を行う第２実施形態のエレベータの群管理制御装置においては、第１実施形態のエレベータの群管理制御装置とほぼ同様の作用効果を奏することが可能である。
【００４７】
さらに、この第２実施形態のエレベータの群管理制御装置においては、ホール呼びが新たに発生した場合に、その階床の不快度指数統計データ値Ｄ（ｆ，ｔ）を参照し、この不快度指数統計データ値Ｄ（ｆ，ｔ）が基準値を超えている場合には予測到着時間Ｘ（ｆ）による評価でホール呼びに対する最適号機を決定することで、不快度指数が高くなることが予想されるホール呼びに対して優先的に長待ちとさせない制御が可能となる。
【図面の簡単な説明】
【００４８】
【図１】本発明の第１実施形態に係わるエレベータの群管理制御装置が組込まれたエレベータシステムを示す模式図
【図２】同実施形態のエレベータの群管理制御装置で用いられるイライラ度特性を示す図
【図３】同実施形態のエレベータの群管理制御装置に組込まれた割当制御部のホール呼びに対するエレベータの割付処理動作を示す流れ図
【図４】同じく割当制御部のホール呼びに対するエレベータの割付処理動作を示す流れ図
【図５】本発明の第２実施形態に係わるエレベータの群管理制御装置が組込まれたエレベータシステムを示す模式図
【図６】同実施形態のエレベータの群管理制御装置内に設けられた統計データ保管テーブルの記憶内容を示す図
【図７】同実施形態のエレベータの群管理制御装置に組込まれた割当制御部のホール呼びに対するエレベータの割付処理動作を示す流れ図
【符号の説明】
【００４９】
１…エレベータの群管理制御装置、２…かご制御装置、３…ホール呼び登録装置、４…かご、５…人数検出用カメラ、６…ホール呼び登録部、７…待ち時間測定部、８…予測到着時間算出部、９…人数検出部、１０…不快度測定部、１１…統計データ保管部、１１ａ…統計データ保管テーブル、１２…割付登録部、１３…号機不快度測定部、１４…割当制御部
【図１】
2005089098.tif 000005
【図２】
2005089098.tif 000006
【図３】
2005089098.tif 000007
【図４】
2005089098.tif 000008
【図５】
2005089098.tif 000009
【図６】
2005089098.tif 000010
【図７】
2005089098.tif 000011